(57)【特許請求の範囲】
【請求項１】
送電線の外周に巻付けて布設される巻付け型光ファイバケーブルの少なくとも接続部を収納する接続箱であって、
該接続箱に引き込まれる前記巻付け型光ファイバケーブルを収納する収納部材を設け、
前記収納部材における巻付け型光ファイバケーブルを収納する形状は、前記巻付け型光ファイバケーブルの許容曲げ径以上の少なくとも２個の湾曲部、及び、対向する概ね平行な少なくとも２個の直線部を有し、前記湾曲部と前記直線部とを組み合せてなる環状な形状であり、
少なくとも１個の前記湾曲部を前記直線部の直線方向に沿って移動させて、前記巻付け型光ファイバケーブルを収納する長さである収納長を調整する収納長調整機構を備えていることを特徴とする巻付け型光ファイバケーブルの収納部材。
【請求項２】
前記直線方向が、前記送電線の長手方向に対して平行及び／又は垂直な方向であることを特徴とする請求項１に記載の巻付け型光ファイバケーブルの収納部材。
【請求項３】
前記巻付け型光ファイバケーブルの引き込み及び／または引き出しをする開口部を少なくとも有した概ね筒状の形状であり、前記巻付け型光ファイバケーブルを挿通させて収納することを特徴とする請求項１または２に記載の巻付け型光ファイバケーブルの収納部材。
【請求項４】
前記巻付け型光ファイバケーブルの移動及び／又は振動を抑制する緩衝部材を、内部に１個または複数個備えていることを特徴とする請求項３に記載の巻付け型光ファイバケーブルの収納部材。
【請求項５】
導電性の材料からなることを特徴とする請求項１から４のいずれか１項に記載の巻付け型光ファイバケーブルの収納部材。 
【発明の詳細な説明】
【技術分野】
【０００１】
本発明は、送電線に巻付けて布設される巻付け型光ファイバケーブルの収納部材に関する。特に、巻付け型光ファイバケーブルの巻付け及び接続作業において、巻付け型光ファイバケーブルの余長部の長さを調整して、布設作業を効率良く実行させるものである。また、送電線が電力線であるとき、電圧階級や電力線の本数（導体数）、取付け位置等によっては、巻付け型光ファイバケーブルの接続箱からのコロナ発生を防止することが可能な巻付け型光ファイバケーブルの収納部材に関する。
【背景技術】
【０００２】
従来、架空送電線路に沿って光通信用の光ファイバケーブルを布設する方式として、架空地線の内部に光ファイバケーブルを収納する方式（光ファイバ内蔵型架空地線）と、架空地線の外周に巻付けて布設する方式とが、一般的である。両方式とも、接地電位にある架空地線を利用する方式であるので、途中で光ファイバケーブルを接続する場合には、鉄塔に接続箱を直接固定して、その中に少なくとも光ファイバケーブルの接続部を収納するようにしている。
【０００３】
近年、架空地線に限らず電力線に光ファイバケーブルを巻付けて布設することが検討されている。例えば、特許文献１では、光ファイバケーブルの端部をループ状にして収納する光ファイバケーブル余長収納部の上部に懸垂支持体への取付け部を一体となるように設けたケース本体と、光ファイバケーブル接続部収納ボックスとからなる架空送電線巻付け布設光ファイバケーブルの懸垂式接続箱が提案されている。また、特許文献２には、コロナ発生を抑制（低減）させた巻付け型光ファイバケーブルが提案されている。
【０００４】
【特許文献１】特許第２９３４０９１号公報
【特許文献２】特開２００７−２３３１０８号公報
【発明の開示】
【発明が解決しようとする課題】
【０００５】
特に、電力線への巻付け型光ファイバケーブルを巻付けて布設する場合には様々な問題が発生することが予想される。
電力線の外周に巻付け型光ファイバケーブルを巻付けて布設する場合、接続用に接続箱を設けるが、この接続箱を取付けることにより、電圧階級や電力線の本数（導体数）、取付け位置等によっては、接続箱によるコロナ放電が発生してしまう。このコロナ放電には音を伴っており、架空送電線の架設地周辺においては、コロナ放電の音（以下、コロナ騒音と呼ぶ）による苦情が発生する場合がある。
【０００６】
また、架空地線や電力線の外周に光ファイバケーブルを巻付けて布設する場合、巻付け作業や接続作業の効率化を図るため、予め設定した余長や接続余長等をおおまかに決めて作業を行うことが通常であり、また、巻付け作業等から余長が生じる場合（巻付け装置の任意に設定した張力により生じる巻付け型光ファイバケーブルの弾性伸び分の余長、あるいは、電線の外径がマイナス公差の場合に生じる余長、等）もあることから、接続作業を終了したときに、光ファイバケーブルの余長を適切に収納（処理）しないと、例えば、接続箱や電力線と衝突をして光ファイバケーブルに損傷を与えてしまうという問題点もあった。
【０００７】
本発明は、以上のような問題点を解決するためになされたもので、巻付け型光ファイバケーブルの巻付け及び接続作業において、巻付け型光ファイバケーブルの余長部の長さを調整して、布設作業を効率良く実行させることが可能な巻付け型光ファイバケーブルの収納部材を提供することを目的とする。また、送電線が電力線であるときに、電圧階級や電力線の本数（導体数）、取付け位置等によっては、巻付け型光ファイバケーブルの接続箱からのコロナ発生を防止することが可能な巻付け型光ファイバケーブルの収納部材を提供することを目的とする。
【課題を解決するための手段】
【０００８】
上述した従来の問題点を解決すべく下記の発明を提供する。
本発明の第１の態様にかかる巻付け型光ファイバケーブルの収納部材は、送電線の外周に巻付けて布設される巻付け型光ファイバケーブルの少なくとも接続部を収納する接続箱であって、該接続箱に引き込まれる前記巻付け型光ファイバケーブルを収納する収納部材を設け、前記収納部材における巻付け型光ファイバケーブルを収納する形状は、前記巻付け型光ファイバケーブルの許容曲げ径以上の少なくとも２個の湾曲部、及び、対向する概ね平行な少なくとも２個の直線部を有し、前記湾曲部と前記直線部とを組み合せてなる環状な形状であり、少なくとも１個の前記湾曲部を前記直線部の直線方向に沿って移動させて、前記巻付け型光ファイバケーブルを収納する長さである収納長を調整する収納長調整機構を備えていることを特徴とする。
【０００９】
これにより、送電線の外周に巻付け型光ファイバケーブルを巻付けて布設する場合に、巻付け型光ファイバケーブルの予め設定した余長や接続余長等を調整することができる。即ち、予め設定した余長や接続余長等をおおまかに決めて、巻付け作業や接続作業をすることができることから、巻付け型光ファイバケーブルの布設作業効率を向上させることができる。また、収納長を調整することにより、余分なたるみのない巻付け型光ファイバケーブルの布設を実施することができる。
【００１０】
本発明の第２の態様にかかる巻付け型光ファイバケーブルの収納部材は、本発明の第１の態様にかかる巻付け型光ファイバケーブルの収納部材において、前記直線方向が、前記送電線の長手方向に対して平行及び／又は垂直な方向であることを特徴とする。
【００１１】
これにより、巻付け型光ファイバケーブルの曲げや応力を加えることなく、より円滑に、巻付け作業や接続作業を実行することができる。
【００１２】
本発明の第３の態様にかかる巻付け型光ファイバケーブルの収納部材は、本発明の第１または２の態様にかかる巻付け型光ファイバケーブルの収納部材において、前記巻付け型光ファイバケーブルの引き込み及び／または引き出しをする開口部を少なくとも有した概ね筒状の形状であり、前記巻付け型光ファイバケーブルを挿通させて収納することを特徴とする。
【００１３】
これにより、簡単な構造とした、巻付け型光ファイバケーブルの収納部材を提供することができる。また、巻付け型光ファイバケーブルの引き込み及び／または引き出し作業を容易に実行することができる。
【００１４】
本発明の第４の態様にかかる巻付け型光ファイバケーブルの収納部材は、本発明の第３の態様にかかる巻付け型光ファイバケーブルの収納部材において、前記巻付け型光ファイバケーブルの移動及び／又は振動を抑制する緩衝部材を、内部に１個または複数個備えていることを特徴とする。
【００１５】
これにより、収納部材の内部における巻付け型光ファイバケーブルの移動及び／又は振動によって生ずる巻付け型光ファイバケーブルの損傷を防止することができる。また、例えば、複数本の巻付け型光ファイバケーブルを布設する場合に、巻付け型光ファイバケーブルを取り巻く緩衝部材の色を、巻付け型光ファイバケーブル毎に変えることにより、布設されている巻付け型光ファイバケーブルを視覚的に容易に識別することができる。また、柱状や球状の緩衝部材の側面に溝や内部に穴を設けることにより、巻付け型光ファイバケーブルを略整列して収納することができるとともに、巻付け型光ファイバケーブルの移動及び／又は振動を防止することができる。
【００１６】
本発明の第５の態様にかかる巻付け型光ファイバケーブルの収納部材は、本発明の第１から４のいずれか１つの態様にかかる巻付け型光ファイバケーブルの収納部材において、導電性の材料からなることを特徴とする。
【００１７】
これにより、接続箱と収納部材とを電気的、機械的に接続すれば同電位にすることができ、収納部材が絶縁性材料の場合に生じ得る、接続箱及び／又は収納部材の帯電により、人が接触したときに発生する接続箱及び／又は収納部材からの放電を防止できる。
【発明の効果】
【００２７】
本発明によれば、送電線の外周に巻付け型光ファイバケーブルを巻付けて布設する場合に、巻付け型光ファイバケーブルの予め設定した余長や接続余長等を調整することができる。即ち、接続余長をおおまかに決めて、巻付け作業や接続作業をすることができることから、巻付け型光ファイバケーブルの布設作業効率を向上させることができる。
【００２８】
また、収納長を調整することにより、余分なたるみのない巻付け型光ファイバケーブルの布設を実施することができる。例えば、巻付け作業等から余長が生じる場合（巻付け装置の任意に設定した張力により生じる巻付け型光ファイバケーブルの弾性伸び分の余長、あるいは、電線の外径がマイナス公差の場合に生じる余長、等）もあることから、接続作業を終了したときに、光ファイバケーブルの余長を適切に収納（処理）できるので、例えば、接続箱や電力線と衝突をして光ファイバケーブルに損傷を与えてしまうということを防止できる。
【００２９】
また、電力線の外周に光ファイバケーブルを巻付けて布設する場合に設けられる接続箱によるコロナ放電を抑制するとともにコロナ騒音を防止することができる。即ち、巻付け型光ファイバケーブルの収納部材によって、接続箱による電界を緩和し、コロナ放電を発生させない、または、抑制することができる。また、電界緩和の設計や電界緩和の調整を収納部材ですれば良いので、接続箱を電力線の任意の位置に直接取付けられることができる。また、万一、巻付け型光ファイバケーブルが径間途中で断線した際に、接続箱を増やすことで、全径間を張り替えることなく、補修作業を行うことができる。
【発明を実施するための最良の形態】
【００３０】
この発明の一実施形態を、図面を参照しながら説明する。なお、以下に説明する実施形態は説明のためのものであり、本発明の範囲を制限するものではない。従って、当業者であればこれらの各要素もしくは全要素をこれと同等なもので置換した実施形態を採用することが可能であるが、これらの実施形態も本発明の範囲に含まれる。
【００３１】
図１は、本発明を適用可能なる巻付け型光ファイバケーブルの収納部材の外観図の一例である。図１（ａ）は、巻付け型光ファイバケーブルの収納部材の正面図であり、図１（ｂ）は、巻付け型光ファイバケーブルの収納部材の裏面図であり、図１（ｃ）は、図１（ａ）及び図１（ｂ）のＡ−Ａ線における断面図であり、図１（ｄ）は、図１（ａ）及び図１（ｂ）のＢ−Ｂ線における側面図である。以下、巻付け型光ファイバケーブルを光ケーブルと呼ぶ。
【００３２】
図１に示すように、収納部材１０は、Ｕ字（湾曲）管状の２つの収納リング１１と直管状の２つのスライドパイプ１２とから構成され、一方の収納リング１１の端部の開口と他方の収納リング１１の端部の開口とに１つのスライドパイプ１２の両端がそれぞれ差し込まれて、１つの環状な形状を形成している。ここで、収納リング１１の内径よりもスライドパイプ１２の外径を小さくする。また、収納リング１１には、接続箱に固定するための収納リング固定板１３が取付けられている。
【００３３】
また、収納リング１１をスライドさせることにより収納リング１１の内部に存在するスライドパイプ１２の直線部２０を、少なくとも１つの収納リング１１をスライドさせて長さを調整する。即ち、収納部材１０に収納される光ケーブルの収納長を、光ケーブルの余長部の長さに対応して調整する。また、スライドパイプ１２（直線部２０）の長さを設定することにより、収納リング１１のスライド幅（距離）を任意とすることでき、収納部材１０の大きさを調整できる。
【００３４】
次に、収納リング１１、スライドパイプ１２、及び収納リング固定板１３を説明する。図２は、図１のＱ部における収納リング１１の詳細図の一例である。図２（ａ）は、裏面を示し、図２（ｂ）は、図１（ｂ）のＣ−Ｃ線における側面図であり、図２（ｃ）は、図２（ｂ）のＤ−Ｄ線における断面図であり、図２（ｄ）のＥ−Ｅ線における断面図である。
【００３５】
図１及び図２に示すように、収納リング１１は、光ケーブルを挿通できるように中空になっている。また、光ケーブルの取り込み及び引き出しを行うときに利用する開口したケーブル導入口２１と、光ケーブルの収納長を調整するときに収納リング１１をスライドさせることが可能な範囲を限定するためのリングスライド穴２２とが設けられている。
【００３６】
このリングスライド穴２２を利用して、リングスライド穴２２のＸ方向の長さＬだけ、１個の収納リング１１でＸ方向に伸縮させることができる。従って、図１に示すような２個の収納リング１１で構成されている場合は、リングスライド穴２２のＸ方向の長さＬの両側分の長さ（Ｌ×２）をスライドして、収納部材１０の大きさを調整できる。また、リングスライド穴２２は、後述の図５で説明するようにボルトを通過させるものである。
【００３７】
図３は、スライドパイプ１２の詳細図の一例である。図３（ａ）は、裏面を示し、図３（ｂ）は、断面図である。
【００３８】
図１及び図３に示すように、スライドパイプ１２は、光ケーブルを挿通できるように中空になっている。また、光ケーブルの取り込み及び引き出しを行うときに利用する開口したケーブル導入口２３が設けられている。スライドパイプ１２は、２個の収納リング１１のそれぞれに固定された後述の図５で説明するスライド固定板２７によって挟まれて固定される。また、スライドパイプ１２には、収納リング１１をスライドさせるときの限界を視覚的に認識させるためのスライド限界マーク３１が設けられている。収納リング１１をスライドさせて光ケーブルの収納長を長くするとき、スライド限界マーク３１が現れるところまでスライドさせることができる。
【００３９】
また、図３においては、収納部材１０の大きさを確定したあと、スライドパイプ１２を回転させて、後述の図５で説明するリングスライド穴２２とケーブル導入口２３の位置を任意に合せ、ボルトを通過させるようにしてもよい。また、スライドパイプ１２を回転させることにより、収納リング１１のケーブル導入口２１がふさがれるので、少なくともスライドパイプ１２の長さの範囲においては、図５のケーブル飛出防止板２５と固定板２９と止めボルト２８を不要とすることもできる。
【００４０】
図４は、図３と異なるスライドパイプ１２の詳細図の一例である。図４（ａ）は、裏面を示し、図４（ｂ）は、図１（ｂ）のＣ−Ｃ線における側面図であり、図４（ｃ）は、図４（ｂ）のＦ−Ｆ線における断面図であり、図４（ｄ）のＧ−Ｇ線における断面図である。
【００４１】
図４に示すものは、図３のスライドパイプ１２に、さらにスライドパイプ穴３０が設けられている場合のスライドパイプ１２である。図４においては、収納部材１０の大きさを確定したあと、スライドパイプ１２を回転させて、後述の図５で説明するリングスライド穴２２とスライドパイプ穴３０の位置を任意に合せ、ボルトを通過させるようにする。また、スライドパイプ１２を回転させることにより、収納リング１１のケーブル導入口２１がふさがれるので、少なくともスライドパイプ１２の長さの範囲においては、図５のケーブル飛出防止板２５と固定板２９と止めボルト２８を不要とすることもできる。
【００４２】
図５は、図１のＲ部の断面分解図の一例である。図５に示すように、収納リング固定板１３には、光ケーブルを収納部材１０に導くためのケーブルガイド２４が取付けられている。
【００４３】
また、収納リング１１をスライドさせて光ケーブルの収納長を調整した後のスライドリング１１の位置の固定は、スライド固定板２７と固定ボルト２６を利用して、リングスライド穴２２を通してボルト締めにて実行される。このとき、収納リング固定板１３も収納リング１１に一括して固定する。
【００４４】
また、ケーブル導入口２１から収納リング１１の内部に導入された光ケーブルが、ケーブル導入口２１から収納リング１１の外部に出ないように、ケーブル飛出防止板２５が収納リング１１の所定の位置に取付けられている。ケーブル飛出防止板２５の取付けは、固定板２９と止めボルト２８を利用して、ケーブル導入口２１を通してボルト締めにて実行される。
【００４５】
次に、収納リング１１のスライドによる光ケーブルの収納長の調整について説明する。図６は、光ケーブルの収納長の調整を説明するための図である。
図６に示すように、収納リング１１をＸ方向にスライドさせることにより、収納部材１０がＸ方向に形状が伸縮変化する。図６の場合は、収納部材１０の外形のＸ方向の長さがｌ１からｌ２に拡大し、光ケーブルの収納長が、「（ｌ２−ｌ１）×２」だけ伸びる。
【００４６】
従って、巻付け作業や接続作業をする場合、収納部材１０の外形のＸ方向の長さの最小値をｌｍｉｎとし、最大値をｌｍａｘとしたとき、光ケーブルの収納長を「（ｌｍａｘ−ｌｍｉｎ）×２」の調整範囲とするように、光ケーブルの接続余長を大まかなに決めることができる。また、収納部材１０（収納リング１１及びスライドパイプ１２）内を、周回させることにより、余長を収納するようにできるとともに、光ケーブルを適当な位置から引き出して、接続箱５３に導くことができる。
【００４７】
次に、収納部材１０に収納された光ケーブルの状態について説明する。図７は、光ケーブルの布設状態を説明するための一例を示した図である。図８は、収納部材１０を接続箱に取付けた状態を示した図の一例である。図８（ａ）は、取付け状態の正面図であり、図８（ｂ）は、取付け状態の断面図である。
【００４８】
図７に示すように、光ケーブル５０が送電線５１に巻付けられて布設され、光ケーブル５０の接続部６５が接続箱５３に収納されている。また、この光ケーブル５０の巻付け作業や接続作業をするときの、光ケーブル５０の余長部が、接続箱５３に取付けられた収納部材１０に収納される。また、接続箱５３は、送電線５１に把持金具５７によって取付けられる。
【００４９】
ここで、収納部材１０の収納リング１１及びスライドパイプ１２の内部に光ケーブル５０を挿通させて収納するが、緩衝部材（図示せず）を、収納リング１１及びスライドパイプ１２の任意の内部の位置に設け、光ケーブル５０の移動や振動を抑制する。
【００５０】
また、光ケーブル５０を布設する場合には、光ケーブル５０を巻付けた送電線５１の振動防止等のためにダンパ５２が送電線５１に取付けられている。また、端末固定金具５５によって、一方の光ケーブル５０を送電線５１に固定し、他方の光ケーブル５０を保護する保護管５４の端末と他方の光ケーブル５０を送電線５１に端末固定金具５６によって固定している。
【００５１】
また、図８に示すように、送電線５１が単導体や複導体の電力線であるときの接続箱５３のコロナ発生防止等のための電界緩和機能を、収納部材１０に持たせるため、収納部材１０は、Ｘ方向が送電線５１の長手方向としたとき、２個の収納部材１０のそれぞれの裏面が接続箱５３の正面及び裏面に対向するように、かつ、収納部材１０の裏面がＸ方向（長手方向）と平行になるように、接続箱５３に取付けられている。また、接続箱５３は、送電線５１に把持金具５７によって取付けられる。
【００５２】
ここで、収納部材１０の伸縮方向が長手方向になるように取付けられ、収納部材１０は、正面外形の大きさが送電線５１への取付け部を含めた接続箱５３の正面外形の大きさと同じか、あるいはその大きさより大きくなるような形状になっている。また、好ましくは、導電性の材料で収納部材１０を形成する。
【００５３】
図１から図８にて説明したように、送電線５１の外周に光ケーブル５０を巻付けて布設する場合に、収納リング１１をスライドさせることにより収納部材１０の形状を変形させることにより、即ち、光ケーブル５０の余長部を収納部材１０に収納させるとともに、接続箱５３のコロナ発生防止等のための電界緩和（含む、シールド（遮蔽））機能を満足させることができる。
【００５４】
即ち、収納部材１０を接続箱５３に取付けて使用することにより、光ケーブル５０の接続余長をおおまかに決めて、巻付け作業や接続作業をすることができることから、光ケーブル５０の布設作業効率を向上させることができる。また、接続箱５３による電界を緩和し、コロナ発生を防止することができる。また、電界緩和の設計や電界緩和の調整を収納部材ですれば良いので、接続箱５３を電力線の任意の位置に直接取付けられることができる。また、接続箱５３を増やす（任意の位置に取付ける）ことで、例えば、光ケーブル５０が径間途中で断線した際に、全径間を張り替えることなく、補修作業を行うことができる。
【００５５】
図１に示したように、上述の収納部材１０は、２個の収納リング１１と２個のスライドパイプ１２とによって、Ｘ方向に形状を伸縮させるような構造であったが、Ｘ方向及び／又はＹ方向に形状を伸縮させるような構造であっても良い。図９は、Ｘ方向及び／又はＹ方向に形状を伸縮させる収納部材７０の外観図の一例である。
【００５６】
図９に示すように、収納部材７０は、４個の収納リング７１と４個のスライドパイプ７２とによって構成される。隣り合う２個の収納リング７１をＸ方向及び／又はＹ方向に同じ量だけスライドさせることにより、収納部材７０の形状をＸ方向及び／又はＹ方向に変形させて、収納部材７０に収納される光ケーブルの収納長を、光ケーブルの余長部の長さに対応して調整する。また、例えば、Ｘ方向及び／又はＹ方向の長さを調整することで、収納部材７０を略円形に調整できる。また、Ｙ方向の２個のスライドパイプ７２を長尺とすれば、Ｘ方向よりＹ方向が大きい収納部材７０とすることできる。
【００５７】
また、図８に示したように、送電線５１が単導体や複導体の電力線であるとき、上述の収納部材１０の接続箱５３への取付けは、２個の収納部材１０のそれぞれの裏面が接続箱５３の正面及び裏面に対向するように、かつ、収納部材１０の裏面がＸ方向（送電線５１の長手方向）と平行になるようにして、接続箱５３による電界を緩和しているが、１個の収納部材１０によって、接続箱５３による電界を緩和するような収納部材１０の接続箱５３への取付け方法もある。
【００５８】
図１０は、１個の収納部材１０によって、接続箱５３による電界を緩和する場合の収納部材１０の接続箱５３への取付け状態を示した図の一例である。図１０（ａ）は、取付け状態の正面概略図であり、図１０（ｂ）は、取付け状態の断面概略図である。
【００５９】
図１０に示すように、接続箱５３の鉛直下側の側面と収納部材１０の裏面が対向するように、かつ、収納部材１０の裏面がＸ方向（送電線５１の長手方向）と平行になるようにして、収納部材１０は接続箱５３に取付けられている。また、接続箱５３は、送電線５１に把持金具５７によって取付けられる。なお、収納部材１０は、正面外形の大きさが接続箱５３の鉛直下側の側面の正面外形の大きさと同じか、大きくなるような形状になっている。
【００６０】
また、図８及び図１０に示した接続箱５３及び収納部材１０の送電線５１の取付けは、送電線５１が単導体や複導体の電力線である場合で、送電線５１が４導体以上の電力線である場合は、少なくとも接続箱５３を多導体の等価な電界の内側に取付ける。さらに、接続箱５３及び収納部材１０を多導体の等価な電界の内側に取付けてよい。
【００６１】
図１１は、多導体の電力線５１における接続箱５３及び収納部材１０の取付け位置を示す図の一例である。図１１（ａ）は４導体の電力線の場合、１本の電力線に接続箱５３（及び収納部材１０）を取付けした例である。
【００６２】
なお、図１１（ｂ）は４導体の電力線の場合、図１１（ｃ）は６導体の電力線の場合に、複数の電力線が形成する等価的な電界６０の内側に、電力線５１の長手方向と垂直な面上での接続箱５３及び収納部材１０の取付け位置を示す。なお、図１１（ｃ）では、接続箱５３の側方と下方に収納部材１０を有する例である。このようにすると、接続箱５３はコロナを発生させるような電圧が生じないため、電界を緩和しなくてもよい。したがって、収納部材１０は電界を緩和する機能を持たない、つまり、絶縁体の材料で構成してもよい。また、接続箱５３も絶縁体の材料で構成してよい。
【００６３】
また、図１２は、６導体の電力線のスペーサ８０の一例であり、フレーム８１の所定位置に電力線を把持するクランプ８２が付いており、フレーム８１に取付け治具８３を介して接続箱５３並びに収納部材が取付けられる。このようにすると、既に電力線に付いているスペーサ８０に、接続箱５３並びに収納部材１０が取付けできる。また、新規のスペーサ８０を付けることによって、任意の位置に接続箱５３並びに収納部材１０を取付けることができる。
【００６４】
また、図１３に示すように、４導体、６導体、８導体の電力線へは、任意の２本の電力線５１を複導体のスペーサ８６やスペーサに類似した形状の付属品により、任意の位置に接続箱５３並びに収納部材１０を取付けることができるようにしてもよい。尚、図１３は、電力線５１ａ〜５１ｆからなる６導体の場合を例に挙げている。電力線５１ａおよび５１ｂにスペーサ８６が付けられており、スペーサ８６に接続箱５３並びに収納部材１０が取付けられている。
【００６５】
また、収納部材は、内径を大きくすることにより、巻付け型光ファイバケーブルを収納する本数を多くすることができる。例えば、４導体の電力線うち、１本の電力線に巻付け型光ファイバケーブルを２本（条）、残る３本へは１本（条）を巻付けた場合、１つの収納部材に１０本を収容できるようにしてもよい。また、２つの収納部材を設け、接続を行う一対の巻付け型光ファイバケーブルそれぞれに本数を分割して収納するようにしてもよい。
【００６６】
また、上述した収納部材１０の収納リング１１及びスライドパイプ１２において、水抜きや軽量化のために、複数の孔をあけても良いし、メッシュ状の材料にて形成しても良い。
【図面の簡単な説明】
【００６７】
【図１】本発明を適用可能なる巻付け型光ファイバケーブルの収納部材の外観図の一例である。
【図２】図１のＱ部における収納リング１１の詳細図の一例である。
【図３】スライドパイプ１２の詳細図の一例である。
【図４】スライドパイプ１２の詳細図の別の一例である。
【図５】図１のＲ部の断面分解図の一例である。
【図６】光ケーブルの収納長の調整を説明するための図である。
【図７】光ケーブルの布設状態を示す図である。
【図８】収納部材１０を接続箱に取付けた状態を示した図の一例である。
【図９】Ｘ方向及び／又はＹ方向に形状を伸縮させる収納部材７０の外観図の一例である。
【図１０】収納部材１０を接続箱に取付けた状態を示した図の別の一例である。
【図１１】多導体の電力線５１における接続箱５３及び収納部材１０の取付け位置を示す図の一例である。
【図１２】多導体の電力線５１におけるスペーサ８０への接続箱５３及び収納部材１０の取付けの一例である。
【図１３】多導体の２本の電力線５１間に取付けたスペーサ８６への接続箱５３及び収納部材１０の取付けの一例である。
【符号の説明】
【００６８】
１０    収納部材
１１    収納リング
１２    スライドパイプ
１３    収納リング固定板
２０    直線部
２１    ケーブル導入口
２２    リングスライド穴
２３    ケーブル導入口
２４    ケーブルガイド
２５    ケーブル飛出防止板
２６    固定ボルト
２７    スライド固定板
２８    止めボルト
２９    固定板
３０    スライドパイプ穴
３１    スライド限界マーク
５０    光ケーブル
５１    送電線（電力線）
５３    接続箱
【図１】
0005041418.tif 000002
【図２】
0005041418.tif 000003
【図３】
0005041418.tif 000004
【図４】
0005041418.tif 000005
【図５】
0005041418.tif 000006
【図６】
0005041418.tif 000007
【図７】
0005041418.tif 000008
【図８】
0005041418.tif 000009
【図９】
0005041418.tif 000010
【図１０】
0005041418.tif 000011
【図１１】
0005041418.tif 000012
【図１２】
0005041418.tif 000013
【図１３】
0005041418.tif 000014